(57)【要約】【課題】メンテナンスが容易な移動間仕切装置を提供する。【解決手段】誘導路３に沿って移動可能な複数の間仕切パネル１，１，…，１Ａと、連接された複数の間仕切パネル１，１，…，１Ａと移動規制端部Ｓとの隙間を閉塞する側部閉塞部材２０と、該側部閉塞部材２０を連接方向へ進退可能な側部進退機構２５と、により空間を仕切る移動間仕切装置１０であって、間仕切パネル１Ａは、パネル部材４と、パネル部材４を支持して縦方向に延びる一対のパネル支持体７，７Ａと、を有し、間仕切パネル１Ａは、側部進退機構２５と、側部閉塞部材２０とがユニット化された側部閉塞ユニット２を備え、側部閉塞ユニット２は、一方のパネル支持体７Ａに着脱可能に固定されている。【選択図】図６
2019214854.tif 000002
【特許請求の範囲】
【請求項１】
誘導路に沿って移動可能な複数の間仕切パネルと、連接された複数の前記間仕切パネルと移動規制端部との隙間を閉塞する側部閉塞部材と、該側部閉塞部材を連接方向へ進退可能な側部進退機構と、により空間を仕切る移動間仕切装置であって、
前記間仕切パネルは、パネル部材と、前記パネル部材を支持して縦方向に延びる一対のパネル支持体と、を有し、
複数の前記間仕切パネルの少なくともいずれか一つは、前記側部進退機構と、前記側部閉塞部材とがユニット化された側部閉塞ユニットを備え、
前記側部閉塞ユニットは、一方の前記パネル支持体に着脱可能に固定されていることを特徴とする移動間仕切装置。
【請求項２】
前記側部閉塞ユニットは、前記側部進退機構及び前記側部閉塞部材の少なくとも一部を収納可能なカバー部材を備えていることを特徴とする請求項１に記載の移動間仕切装置。
【請求項３】
前記カバー部材は、対向する一対の側板と、一対の前記側板を連結する背板と、からコ字状に形成されていることを特徴とする請求項２に記載の移動間仕切装置。
【請求項４】
前記パネル支持体には、前記背板を挟んで前記側部進退機構の基部が固定されていることを特徴とする請求項３に記載の移動間仕切装置。
【請求項５】
少なくとも一方の前記側板は、前記パネル部材と略面一に配置されていることを特徴とする請求項３または４に記載の移動間仕切装置。
【請求項６】
前記パネル部材は間隔をおいて対向して配置されており、
前記パネル支持体は、前後一対の前記パネル部材の間に配置されて当該前後一対のパネル部材に固着されていることを特徴とする請求項５に記載の移動間仕切装置。
【請求項７】
前記パネル部材は、透光性を有していることを特徴とする請求項１ないし６のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレール（誘導路）にローラを有する吊支部材を介して吊支され、該レールに沿って移動可能な間仕切パネルを連接して所定の区画に仕切って、所望の小区画のレイアウトを実現している。このような移動間仕切装置にあっては、最後尾の間仕切パネルに壁部（移動規制端部）との隙間を閉塞する側部閉塞部材が連接方向に進退自在に設けられているものがあり、側部閉塞部材を壁部に対して押圧させることで隙間を閉塞し、光や音の漏れを防止できるようにしたものが知られている。
【０００３】
例えば、特許文献１に示される移動間仕切装置は、レールに吊支される複数の間仕切パネルから構成されており、最後尾の間仕切パネルには壁部との隙間を閉塞する側部圧接部材（側部閉塞部材）が設けられている。間仕切りパネルは、左右一対の縦桟（パネル支持体）、上桟、下桟、及び２本の中間桟によって梯子状に形成されたフレームの前後に、石こうボードに表面材が貼着されたパネルが取付けられて構成されている。また、最後尾の間仕切パネルには、下側の中間桟に固定されたジャッキと、水平方向に延びてジャッキと壁部側の縦枠の外側に配置された側部圧接部材とを連結するロッドとから構成される側部進退機構が取付けられており、ジャッキを操作することでロッドが壁部に対して進出または後退して、側部圧接部材を進退可能となっている。このように、前後一対のパネルの間から進出させた側部圧接部材を壁部に圧接させることで連接された間仕切パネルと壁部との間の隙間を閉塞することができる。
【先行技術文献】
【特許文献】
【０００４】
【特許文献１】特開２０１３−１４７９００号公報（第５頁、第２〜４図）
【発明の概要】
【発明が解決しようとする課題】
【０００５】
しかしながら、特許文献１の移動間仕切装置は、ジャッキが左右一対の縦桟の間かつ一対のパネルの間に配置されていることから、側部進退機構のメンテナンスを行う際には、間仕切りパネルをレールから取外した後にパネルをフレームから外す必要があるため、手間がかかるという問題があった。
【０００６】
本発明は、このような問題点に着目してなされたもので、メンテナンスが容易な移動間仕切装置を提供することを目的とする。
【課題を解決するための手段】
【０００７】
前記課題を解決するために、本発明の移動間仕切装置は、
誘導路に沿って移動可能な複数の間仕切パネルと、連接された複数の前記間仕切パネルと移動規制端部との隙間を閉塞する側部閉塞部材と、該側部閉塞部材を連接方向へ進退可能な側部進退機構と、により空間を仕切る移動間仕切装置であって、
前記間仕切パネルは、パネル部材と、前記パネル部材を支持して縦方向に延びる一対のパネル支持体と、を有し、
複数の前記間仕切パネルの少なくともいずれか一つは、前記側部進退機構と、前記側部閉塞部材とがユニット化された側部閉塞ユニットを備え、
前記側部閉塞ユニットは、一方の前記パネル支持体に着脱可能に固定されていることを特徴としている。
この特徴によれば、側部閉塞ユニットは、一方のパネル支持体に着脱可能に固定されていることから、間仕切パネルから側部閉塞ユニットを取外すことができるため、換言すればパネル部材を取外すことなく側部閉塞部材や側部進退機構にアクセス可能であるため、メンテナンスが容易である。
【０００８】
前記側部閉塞ユニットは、前記側部進退機構及び前記側部閉塞部材の少なくとも一部を収納可能なカバー部材を備えていることを特徴としている。
この特徴によれば、カバー部材と一方のパネル支持体の固定を解除することで間仕切パネルから側部閉塞ユニットを取外すことができるため、メンテナンスをより高めることができる。
【０００９】
前記カバー部材は、対向する一対の側板と、一対の前記側板を連結する背板と、からコ字状に形成されていることを特徴としている。
この特徴によれば、パネル支持体に沿って背板を配置することで、カバー部材のパネル支持体に対する固定位置が案内されることから、パネル部材に対する側板の平行度が向上する。
【００１０】
前記パネル支持体には、前記背板を挟んで前記側部進退機構の基部が固定されていることを特徴としている。
この特徴によれば、パネル支持体に側部進退機構の基部が固定されるため、側部進退機構が強固に固定されるとともに、カバー部材の背板はパネル支持体と該基部に挟まれて固定されるため、カバー部材の取付け状態が安定している。
【００１１】
少なくとも一方の前記側板は、前記パネル部材と略面一に配置されていることを特徴としている。
この特徴によれば、側板がパネル部材と略面一な面を成すことによって、パネル部材とカバー部材との連続性が演出されるため、美観性が向上する。
【００１２】
前記パネル部材は間隔をおいて対向して配置されており、
前記パネル支持体は、前後一対の前記パネル部材の間に配置されて当該前後一対のパネル部材に固着されていることを特徴としている。
この特徴によれば、パネル支持体が前後一対の前記パネル部材よりも外側に延出する部位を無くすまたは小さくできるため、側板とパネル部材とを近接して配置することが可能であり、パネル部材とカバー部材との連続性がより向上する。
【００１３】
前記パネル部材は、透光性を有していることを特徴としている。
この特徴によれば、パネル部材をパネル支持体に取付けたまま側部閉塞ユニットをパネル支持体から取外せることから、側部閉塞ユニットの取外し時にパネル部材をキズ付けることがなく、透光性を有するパネルの透光性を維持し易い。
【図面の簡単な説明】
【００１４】
【図１】本発明の実施例における移動間仕切装置を示す斜視図である。
【図２】移動間仕切装置により部屋を仕切った状態を示す概略図である。
【図３】最後尾の間仕切パネルの構造を示す分解斜視図である。
【図４】上部閉塞部材及び下部閉塞部材の収納状態を示す縦断面図である。
【図５】パネル本体の上端部を示す上面図である。
【図６】側部閉塞装置の上端部を示す上面図である。
【図７】パネル本体に設置された側部閉塞装置を示す模式図である。
【図８】（ａ）は、収納状態における側部閉塞装置を示す模式図であり、（ｂ）は、閉塞状態における側部閉塞装置を示す模式図である。
【図９】（ａ），（ｂ）は、最後尾の間仕切パネルによる天井、床、壁部との間の隙間の閉塞態様を示す模式図である。
【図１０】（ａ），（ｂ）は、図９に引き続き、最後尾の間仕切パネルによる天井、床、壁部との間の隙間の閉塞態様を示す模式図である。
【図１１】変形例１における最後尾の間仕切パネルを備える移動間仕切装置により部屋を仕切った状態を示す概略図である。
【図１２】変形例２における側部閉塞装置の上端部を示す上面図である。
【発明を実施するための形態】
【００１５】
本発明に係る移動間仕切装置を実施するための形態を実施例に基づいて以下に説明する。
【実施例】
【００１６】
実施例に係る移動間仕切装置につき、図１から図１０を参照して説明する。以下、図２の紙面手前側及び図４の紙面右側を移動間仕切装置の正面側（前方側）とし、その前方側から見たときの上下左右方向を基準として説明する。
【００１７】
間仕切パネル１は、例えば、オフィス、会議室、ショールーム、店舗等の建物内の室内を所定の区画に仕切るために用いられるものであり、図１，図２に示されるように、本実施例では、複数の間仕切パネル１，１，…，１Ａを組み合わせて移動間仕切装置１０を構成している。
【００１８】
移動間仕切装置１０は、室内空間の天井Ｒに設けられるレール３（誘導路）に沿って移動可能な一対の吊支部材９，９（図３参照）により上端が吊支される複数の間仕切パネル１，１，…と、側部閉塞装置２（側部閉塞ユニット）を有する最後尾の間仕切パネル１Ａ（複数の間仕切パネルの少なくとも一つ）と、から主に構成され、間仕切パネル１，１，…，１Ａをレール３に沿って図１において右側の側壁Ｗ’に設けられる移動規制端部Ｓ’側に所定の位置まで手動で順次移動させることによって、間仕切パネル１，１，…，１Ａを一列に連接させ、後述する上部閉塞部材１１及び下部閉塞部材１２がレール３及び床Ｆに向けて押し付けられるとともに、側部閉塞装置２の側部閉塞部材２０（図２参照）が側壁Ｗに設けられる移動規制端部Ｓに押し付けられることにより、天井Ｒから床Ｆに亘って室内空間を仕切ることができるようになっている。
【００１９】
尚、移動規制端部Ｓ，Ｓ’とは、移動間仕切装置１０を構成する間仕切パネル１，１，…，１Ａの内、先頭の間仕切パネル１、または、最後尾の間仕切パネル１Ａの側部閉塞部材２０が当接し、先頭の間仕切パネル１、または、最後尾の間仕切パネル１Ａの側部閉塞部材２０の移動を規制する端部を構成する所定の側壁や支柱等のことである。
【００２０】
また、レール３には、収納レール３ａ，３ａが直交連結されており、収納レール３ａ，３ａは、間仕切パネル１，１Ａに固定された一対の吊支部材９，９と略同一寸法離間して配置されている。これにより、間仕切パネル１，１，…，１Ａを前後方向（連接方向に直交する方向）に並べて収納可能となっている。
【００２１】
次に、最後尾の間仕切パネル１Ａについて説明する。尚、他の間仕切パネル１の構成については、最後尾の間仕切パネル１Ａの構成と略同一態様であるため、重複する説明については省略する。
【００２２】
図３に示されるように、最後尾の間仕切パネル１Ａは、前後に間隔をおいて対向配置される一対のガラスパネル４，４（パネル部材）と、ガラスパネル４，４を一体に保持する枠部材５（上部フレーム６、縦フレーム７，７Ａ（パネル支持体）及び下部フレーム８）と、上部フレーム６または下部フレーム８に収納される上部閉塞部材１１または下部閉塞部材１２と、上部閉塞部材１１または下部閉塞部材１２に収納される上角部閉塞部材３１または下角部閉塞部材３２と、上部閉塞部材１１または下部閉塞部材１２を進退移動させる上部進退機構６５または下部進退機構８５（図７参照）と、縦フレーム７Ａに取付けられる側部閉塞装置２と、から主に構成される二重ガラスパネル構造を成し、パネル材として透明のガラスパネル４，４が使用されることにより、間仕切パネル１，１，…，１Ａによって仕切られる室内空間の開放感を演出することができるとともに、強度や遮音性に優れている。尚、本実施例では、ガラスパネル４，４と枠部材５とが一体化されてパネル本体５０（図７参照）を構成している。
【００２３】
次に、ガラスパネル４，４の構造について説明する。図４に示されるように、ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。また、他の間仕切パネル１，１，…のガラスパネル１０４（図２参照）もガラスパネル４と同様に形成されている。
【００２４】
また、ガラスパネル４は、側部閉塞装置２の後述するカバー部材７２の左右方向（連接方向）の寸法Ｌ２分、他の間仕切パネル１のガラスパネル１０４の左右方向の寸法Ｌ１よりも短尺な左右方向の寸法Ｌ３となっている。すなわち、最後尾の間仕切パネル１Ａの左右方向の寸法は、他の間仕切パネル１，１，…と同様に寸法Ｌ１である（図２参照）。
【００２５】
次に、枠部材５の構造について説明する。図３に示されるように、枠部材５は、ガラスパネル４，４の上端部に沿って取付けられる上部フレーム６と、上端部が上部フレーム６の左右両端部に連結される一対の縦フレーム７，７Ａと、ガラスパネル４，４の下端部に沿って取付けられ、左右両端部が一対の縦フレーム７，７Ａの下端部に連結される下部フレーム８と、から主に構成され、一対のガラスパネル４，４の上下左右端に沿って配置される、いわゆる四方枠形状を成している。
【００２６】
図４，図５に示されるように、上部フレーム６は、アルミ合金等の金属製の押出成形品であり、凹溝部６１（図４参照）が長手方向に沿って形成された前後一対の保持部６３，６３と、該保持部６３，６３の間に長手方向に沿って設けられる上部チャンネル部６２と、該保持部６３，６３を前後方向に連結する基部６４と、を備えている。凹溝部６１は、側方から見て下向きコ字状を成し、保持部６３に形成された凹溝部６１をガラスパネル４，４の上端部に上方から嵌合させることで、ガラスパネル４，４の上端部を保護している。また、上部チャンネル部６２には、上部閉塞部材１１、上角部閉塞部材３１（図４参照）及び上部進退機構６５（図７参照）が収納されている。尚、説明の便宜上、図５において、上部閉塞部材１１、上角部閉塞部材３１及び上部進退機構６５の図示を省略している。
【００２７】
また、図５に示されるように、上部フレーム６の基部６４において、縦フレーム７Ａが連結される左側の端部６４ａは、側部閉塞装置２の左右方向の寸法Ｌ２（図２参照）と略同一寸法分、間仕切パネル１Ａの左端部よりも右側に位置しており、縦フレーム７が連結される右側の端部６４ｂは、間仕切パネル１Ａの右端部に位置している。尚、図示は省略するが、他の間仕切パネル１の上部フレームの基部は、両端部がそれぞれ間仕切パネル１Ａの右端部、左端部に位置するように構成されている。
【００２８】
また、図４に示されるように、下部フレーム８は、上部フレーム６を上下に反転した形状と略同一形状であり、保持部８３，８３、下部チャンネル部８２及び基部８４を備えている。下部フレーム８の保持部８３に形成された凹溝部８１をガラスパネル４，４の下端部に下方から嵌合させることで、ガラスパネル４，４の下端部を保護している。また、下部フレーム８の下部チャンネル部８２には、下部閉塞部材１２、下角部閉塞部材３２及び下部進退機構８５（図７参照）が収納されている。
【００２９】
図３に戻って、縦フレーム７，７Ａは、最後尾の間仕切パネル１Ａの上下方向に延びる被覆部材７０，７０Ａと、当該被覆部材７０，７０Ａにより被覆される芯部材７１，７１Ａと、から主に構成され、左右方向（連接方向）に厚みを有する板状を成している。尚、縦フレーム７，７Ａは略同一構成であるため、以降の説明において、縦フレーム７Ａについて説明し、特に断らない限り、縦フレーム７の説明については省略する。
【００３０】
図３，図５，図６に示されるように、被覆部材７０Ａは、アルミ合金等の金属製の押出成形品であり、上下方向に長尺な角パイプ状を成し、芯部材７１Ａを挿嵌可能な中空部分が形成される本体部７０ｂと、本体部７０ｂの左側面と略面一な面を成すように前側面及び後側面から略垂直にそれぞれ外方（前後方向）に延出する鉤状の被覆部７０ｃ，７０ｃと、を有している。また、被覆部７０ｃ，７０ｃの前後の先端部は、ガラスパネル４，４の左右両側端に形成されるテーパ面に沿った形状に構成されている。
【００３１】
また、図３，図６，図７に示されるように、被覆部材７０Ａの左側面の上端部には、正面視略直角三角形状の板状の延設板７３が溶接固定され、延設板７３の先端側（側部閉塞部材２０側）の上端部には、連結体７４が溶接固定されている。連結体７４には一方の吊支部材９が取付けられており、最後尾の間仕切パネル１Ａの吊支部材９，９間の離間寸法は、他の間仕切パネル１に取付けられる吊支部材９，９の離間寸法と略同一となっている。
【００３２】
図３，図５，図６に示されるように、芯部材７１Ａは、左右方向に厚みを有する鋼製の板材であり、被覆部材７０Ａの本体部７０ｂに挿嵌された状態で被覆部材７０Ａよりも上方に突出する上端部の右側面が、上部フレーム６の基部６４の端部６４ａに面当接した状態で固定されている。尚、上部フレーム６と同様に、芯部材７１Ａの下端部は、下部フレーム８の基部８４の端部に面当接した状態で固定されている。
【００３３】
ここで、ガラスパネル４，４と縦フレーム７，７Ａとの固定について説明する。縦フレーム７，７Ａの被覆部材７０，７０Ａは、前後一対のガラスパネル４，４の間に配置されて当該ガラスパネル４，４の内面と被覆部材７０，７０Ａの前後両側面との間が透明な両面テープによりそれぞれ接着されることで縦フレーム７，７Ａにガラスパネル４，４が固定されている。尚、ガラスパネル４，４の左端部は、被覆部７０ｃ，７０ｃによってそれぞれ覆われており、ガラスパネル４，４のそれぞれの外面と被覆部７０ｃ，７０ｃのそれぞれの外面は、略面一に配置されている。
【００３４】
次に、上部閉塞部材１１及び下部閉塞部材１２について説明する。図３，図４，図７に示されるように、上部閉塞部材１１は、アルミ合金等の金属製の押出成形品であり、上部フレーム６と略同一寸法で左右方向に延びており、側方から見て下向きコ字形状を成している。下部閉塞部材１２は、上部閉塞部材１１を上下反転した形状と略同一形状であるため、その説明を省略する。
【００３５】
図７，図９，図１０に示されるように、上部閉塞部材１１及び下部閉塞部材１２は、上部フレーム６の上部チャンネル部６２及び下部フレーム８の下部チャンネル部８２に収納された状態において、パネル本体５０よりも右側（間仕切り位置への進行方向）に右端部がそれぞれ突出している。また、上部閉塞部材１１及び下部閉塞部材１２は、隣接する間仕切パネル１の側端部に押圧されることにより、上部進退機構６５または下部進退機構８５によってレール３及び床Ｆに対して進退移動するようになっている。尚、上部閉塞部材１１及び下部閉塞部材１２を進退移動させる上部進退機構６５または下部進退機構８５は、捻りコイルバネ、または捻りコイルバネ及びリンク部材を組み合わせたリンク機構等により構成されている。
【００３６】
次に、側部閉塞装置２について説明する。図６，図７に示されるように、側部閉塞装置２は、ガラスパネル４，４及び縦フレーム７Ａの上下方向に亘って延びる上面視コ字状のカバー部材７２と、カバー部材７２の後述する収納部７２ｄに収納される側部閉塞部材２０と、カバー部材７２と共に縦フレーム７Ａに固定されるベース杆２３（側部進退機構の基部）と、ベース杆２３に固定され側部閉塞部材２０を左右方向に進退移動させる側部進退機構２５と、側部閉塞部材２０とベース杆２３との間に介在し当該側部閉塞部材２０を支持する二つのリンク機構３５，３５と、から構成されて、ユニット化されており、側部進退機構２５の進退動作に応じて側部閉塞部材２０は進退するようになっている。
【００３７】
図６に示されるように、カバー部材７２は、アルミ合金等の金属板を折曲げて上面視コ字チャンネル杆状に形成されており、前後方向に延びる板状の背板７２ａと、前後に対向配置された板状の側板７２ｂ，７２ｂ’と、を有し、側板７２ｂ，７２ｂ’の間には移動規制端部Ｓ側に開口する収納部７２ｄが形成されている。尚、カバー部材７２は、パネル本体５０の前後方向の寸法と略同一寸法に形成されている。
【００３８】
また、カバー部材７２は、背板７２ａの右側面が、被覆部材７０Ａの左側面に面当接された状態で、ベース杆２３と共に縦フレーム７Ａ（被覆部材７０Ａ）に左側から左右方向に延びる複数のボルト９６，９６，…によって固定されている。このように、側部閉塞装置２は縦フレーム７Ａに着脱可能に固定されている。
【００３９】
また、カバー部材７２の背板７２ａの上端部には、前後方向中央部に延設板７３を挿嵌可能なスリット７２ｅが形成されている。同様に、ベース杆２３の上端部にも、前後方向中央部に延設板７３を挿嵌可能なスリット２３ｅが形成されている。これによれば、側部閉塞装置２を縦フレーム７Ａに固定する際には、これらスリット２３ｅ，７２ｅによりカバー部材７２が延設板７３に案内されるため、側部閉塞装置２の縦フレーム７Ａに対する前後方向の位置合わせが容易である。
【００４０】
また、図３に示されるように、側板７２ｂ’には、貫通孔７２ｆが形成されており、アクセス部Ｃにアクセス可能となっている。尚、直接の図示は省略するが、アクセス部Ｃの操作を行うとき以外は、貫通孔７２ｆにキャップが装着され、アクセス部Ｃの保護がなされている。
【００４１】
図６，図７に示されるように、側部閉塞部材２０は、カバー部材７２の上下方向に亘って延び縦フレーム７Ａ側に開口する上面視コ字状かつ当該カバー部材７２の内方側に収納可能に形成された本体部材２１と、該本体部材２１と略同一の上下寸法に形成され本体部材２１の底板部２１ａに固定される支持杆２２と、から構成されており、支持杆２２には側部進退機構２５及び各リンク機構３５，３５が連結されている。
【００４２】
図６に示されるように、本体部材２１は、アルミ合金等の金属製の押出成形品である上面視横向きＬ字状に形成された二つの板材が短板部を突き合わせて対向配置させた状態で、２つの板材の短板部に上面視コ字状に形成された板状の底板部２１ａがボルトによって固定されることで二つの板材が連結され、上面視コ字状に形成されている。
【００４３】
また、本体部材２１の両側板２１ｂ，２１ｂは、カバー部材７２の側板７２ｂ，７２ｂ’に略摺動するように近接ないし接触するように一部が重ねられた状態で略同一面上に配置されており、側板７２ｂ，７２ｂ’はガラスパネル４の板厚よりも十分に薄いことから、側板２１ｂ，２１ｂと側板７２ｂ，７２ｂ’とにより形成される前後方向の段差が小さいことから、左右方向の連続性を損なうことなく外観が良い。
【００４４】
また、本体部材２１の底部の外側の前後両側端部には、上下方向に亘ってゴムで形成された緩衝部材９０，９０が前後に離間して取付けられている。これにより、本体部材２１が移動規制端部Ｓに押圧された際の衝撃を緩衝できるとともに、本体部材２１と移動規制端部Ｓとの隙間を確実に閉塞することができる。また、本体部材２１の両側板２１ｂ，２１ｂの端部には、それぞれゴムで形成されたシール部材９１，９１が上下方向に亘って取付けられており、カバー部材７２と本体部材２１との隙間を閉塞可能となっている。
【００４５】
図７を参照し、支持杆２２は、上下方向に長尺な角パイプ状の部材であり、上端部と下端部にそれぞれピンが溶接固定されている。これらピンが上角部閉塞部材３１または下角部閉塞部材３２と上下方向に相対移動可能に連結されている。これにより、上角部閉塞部材３１及び下角部閉塞部材３２は、側部閉塞部材２０の進退移動に応じて、上部閉塞部材１１または下部閉塞部材１２に対して相対的に長手方向に進退移動する。
【００４６】
図７に示されるように、側部進退機構２５は、支持杆２２の上下方向中央部に間に緩衝部材３３を介在させて取付けられる上下方向に長尺な押引体２６と、ベース杆２３に回動可能に軸支される上下一対のレバー２７，２７と、該レバー２７及び押引体２６それぞれに回動可能に取付けられる板状の長尺部材であるアーム体２８，２８と、レバー２７，２７それぞれに回動可能に軸支される上下方向に長尺な角パイプ状のリンク部材２９と、から構成されており、側部閉塞部材２０と共にカバー部材７２の収納部７２ｄに収納されている。尚、アクセス部Ｃは、下方のレバー２７をベース杆２３に回動可能に軸支する六角ボルトの頭部であり、アクセス部Ｃとレバー２７は相対移動不能に固定されている。
【００４７】
このように、側部閉塞装置２は、側部進退機構２５と、側部閉塞部材２０と、該側部進退機構２５及び該側部閉塞部材２０を収納可能なカバー部材７２とがユニット化されている。
【００４８】
次に、図８〜図１０を用いて、最後尾の間仕切パネル１Ａによる間仕切パネル１，１，…，１Ａと移動規制端部Ｓ、天井及び床との隙間の閉塞動作について説明する。先ず、図９（ａ）に示されるように、側部閉塞装置２の側部閉塞部材２０が収納状態にある最後尾の間仕切パネル１Ａを隣接する間仕切パネル１と移動規制端部Ｓとの間へと移動する。このとき、上部閉塞部材１１及び下部閉塞部材１２は隣接する間仕切パネル１の左側端部に当接している。また、側部閉塞部材２０の収納状態の際には、押引体２６がレバー２７に接近して配置されている（図８（ａ）参照）。
【００４９】
次いで、最後尾の間仕切パネル１Ａのアクセス部Ｃにハンドル（図示略）を取付け、時計回りに回動させると、アーム体２８，２８を介して移動規制端部Ｓ側へと押動される押引体２６により側部閉塞部材２０は押動され、図９（ｂ）に示されるように、側部閉塞部材２０は移動し、その左側端部が移動規制端部Ｓに当接する。
【００５０】
ハンドルを操作してアクセス部Ｃの回動を続けると、側部閉塞部材２０の移動規制端部Ｓ側への移動は、該移動規制端部Ｓによって規制されていることから、パネル本体５０が隣接する間仕切パネル１側へと移動する。これに伴い、上部閉塞部材１１及び下部閉塞部材１２それぞれの側端部が隣接する間仕切パネル１の側端部に押圧されて、図１０（ａ）に示されるように、上部閉塞部材１１及び下部閉塞部材１２が天井Ｒまたは床Ｆに向かって進出し、当接する。また、パネル本体５０が移動し、ハンドルを回動させた角度が９０度に達すると（図８（ｂ）参照）、図１０（ｂ）に示されるように、パネル本体５０の右側端部が隣接する間仕切パネル１の左側端部に当接し、側部閉塞部材２０は進出状態となる。このようにして、最後尾の間仕切パネル１Ａにより間仕切パネル１，１，…，１Ａと移動規制端部Ｓ、天井及び床との隙間を閉塞することができる。尚、回動可能な範囲については、具体的な数値を限定するものではない。
【００５１】
また、逆の手順を行うことで、押引体２６がレバー２７に接近する。これらによって、押引体２６と連結されている側部閉塞部材２０を移動規制端部Ｓ側へ進出させたり、カバー部材７２の収納部７２ｄ内に後退させたりすることができる。
【００５２】
以上説明してきたように、本実施例の移動間仕切装置１０の最後尾の間仕切パネル１Ａにおいては、側部進退機構２５と、側部閉塞部材２０と、該側部進退機構２５及び該側部閉塞部材２０を収納可能なカバー部材７２とがユニット化された側部閉塞装置２が縦フレーム７Ａに着脱可能に固定されており、カバー部材７２と縦フレーム７Ａの固定を解除することで最後尾の間仕切パネル１Ａから側部閉塞装置２を取外すことができるため、換言すればパネル本体５０からガラスパネル４，４を取外すことなく側部閉塞部材２０や側部進退機構２５にアクセス可能であることから、メンテナンスが容易である。
【００５３】
また、側部閉塞装置２のカバー部材７２は、前後に対向配置された板状の側板７２ｂ，７２ｂ’と、一対の側板７２ｂ，７２ｂ’を連結する背板７２ａと、から上面視コ字チャンネル杆状に形成されているため、被覆部材７０Ａの左側面に沿ってカバー部材７２の背板７２ａが配置されることで、縦フレーム７Ａに対する固定位置が案内されるため、ガラスパネル４，４に対する側板７２ｂ，７２ｂ’の平行度が向上する。さらに、カバー部材７２は、パネル本体５０の前後方向の寸法と略同一寸法であり、ガラスパネル４，４のそれぞれの外面、被覆部材７０Ａの被覆部７０ｃ，７０ｃのそれぞれの外面、及びカバー部材７２の側板７２ｂ，７２ｂ’のそれぞれの外面は、略面一な面を成すことにより、ガラスパネル４，４とカバー部材７２との連続性が演出されるため、美観性が良い。
【００５４】
また、縦フレーム７Ａには、カバー部材７２の背板７２ａを挟んでベース杆２３が固定されるため、側部進退機構２５が強固に固定されるとともに、カバー部材７２の背板７２ａは、被覆部材７０Ａの左側面とベース杆２３との間に挟まれた状態で固定されるため、カバー部材７２の取付け状態が安定している。
【００５５】
また、縦フレーム７Ａは、被覆部材７０Ａに芯部材７１Ａが挿嵌されることにより剛性が高められているため、側部閉塞装置２が取付けられた際に、該側部閉塞装置２を安定して支持することができる。
【００５６】
また、側部閉塞装置２の重量を支持する縦フレーム７Ａを、被覆部材７０Ａに溶接固定される延設板７３を介して側部閉塞装置２の上方にて吊支部材９によって吊支することができるため、最後尾の間仕切パネル１Ａが吊支された際に、パネル本体５０と側部閉塞装置２との重量バランスを取ることができる。さらに、延設板７３が略直角三角形状であるため、連結体７４の固定の剛性が高い。
【００５７】
また、縦フレーム７，７Ａは、前後一対のガラスパネル４，４の間に配置されて当該ガラスパネル４，４の内面に対して被覆部材７０，７０Ａの前後両側面を透明な両面テープによりそれぞれ接着されているため、縦フレーム７，７Ａが前後一対のガラスパネル４，４よりも外側に延出する部位を無くすまたは小さくできるため、側部閉塞装置２のカバー部材７２の側板７２ｂ，７２ｂ’とガラスパネル４，４とを近接して配置することが可能であり、ガラスパネル４，４とカバー部材７２との連続性がより向上する。
【００５８】
また、ガラスパネル４，４を縦フレーム７，７Ａに取付けたまま側部閉塞装置２を縦フレーム７Ａから取外すことができるため、側部閉塞装置２の取外し時にガラスパネル４，４をキズ付けることがなく、ガラスパネル４，４の透光性を維持し易い。
【００５９】
また、最後尾の間仕切パネル１Ａは、左右方向の寸法が他の間仕切パネル１の左右方向の寸法と略同一寸法であるとともに、吊支部材９，９の離間寸法が他の間仕切パネル１の吊支部材９，９の離間寸法と略同一寸法であることから、他の間仕切パネル１，１，…と共に収納レール３ａ，３ａに収納した際に、各間仕切パネル１，１，…，１Ａの左右端部が揃えられた状態となることから、収納状態において人や物が接触し難く、見栄えもよい。
【００６０】
次に、図１１を用いて、最後尾の間仕切パネルの変形例１について説明する。尚、前記実施例に示される構成部分と同一構成部分については同一符号を付して重複する説明を省略する。
【００６１】
前記実施例の最後尾の間仕切パネル１Ａのガラスパネル４，４は、側部閉塞装置２のカバー部材７２の左右方向の寸法Ｌ２分、他のガラスパネル１０４の左右方向の寸法よりも短尺である態様として説明したが、本変形例の最後尾の間仕切パネル１０１Ａにあっては、図１１に示されるように、他の間仕切パネル１，１，…のガラスパネル１０４，１０４，…と同じガラスパネル１０４，１０４が取付けられており、側部閉塞装置２の左右方向の寸法Ｌ２分、他の間仕切パネル１，１，…よりも長尺となっている。尚、直接の図示は省略するが、上部フレーム６、下部フレーム８、上部閉塞部材１１及び下部閉塞部材１２についてもガラスパネル１０４と同様に連接方向において長く形成されている。
【００６２】
これにより、最後尾の間仕切パネル１０１Ａのガラスパネル１０４，１０４の透光領域の幅が寸法Ｌ１分となり、他の間仕切パネル１，１，…と同じ寸法Ｌ１分の透光領域を確保できることから、複数の間仕切パネル１，１，…，１０１Ａを連接した際の見栄えが良い。
【００６３】
次に、図１２を用いて、最後尾の間仕切パネルの変形例２について説明する。尚、前記実施例に示される構成部分と同一構成部分については同一符号を付して重複する説明を省略する。
【００６４】
前記実施例の最後尾の間仕切パネル１Ａは、前後共に同じガラスパネル４，４が取付けられている態様として説明したが、本変形例の最後尾の間仕切パネル２０１Ａにあっては、図１２に示されるように、前方にはガラスパネル４が取付けられており、後方にはカバー部材１７２の側板１７２ｂに被さってガラスパネル１０４が取付けられている。そのため、被覆部材１７０Ａは、本体部７０ｂと、前方側の被覆部７０ｃと、を有し、カバー部材１７２は、後方側の側板１７２ｂの端部に被覆部１７２ｃが形成されており、この被覆部１７２ｃが形成された分、背板１７２ａが短尺となっている。
【００６５】
これにより、ガラスパネル１０４によって、最後尾の間仕切パネル２０１Ａの後方側を左右方向に亘って被覆できるため、複数の間仕切パネル１，１，…，２０１Ａを連接した際に、後方側から見たときのガラスパネル１０４，１０４，…，１０４による統一感を演出することができる。尚、後方側にガラスパネル４が、前方側にガラスパネル１０４が取付けられるように構成されていてもよい。また、前後両側にガラスパネル１０４，１０４が取付けられるように構成されていてもよい。
【００６６】
以上、本発明の実施例を図面により説明してきたが、具体的な構成はこれら実施例に限られるものではなく、本発明の要旨を逸脱しない範囲における変更や追加があっても本発明に含まれる。
【００６７】
例えば、前記実施例では、側部閉塞装置２を有する間仕切パネル１Ａは、最後尾である態様として説明したが、これに限らず、先頭や間仕切パネル１，１の間等、その配置は適宜変更されてもよい。また、他の間仕切パネルに関しては、本実施例における最後尾の間仕切パネル１Ａの構成と略同一態様であることに限らず、例えば、梯子状の枠体にパネル部材が貼り付けられたものでもよく、適宜選択されればよい。
【００６８】
また、側部閉塞装置２は、縦フレーム７Ａに支持されている態様として説明したが、これに限らず、上部フレーム６に吊支される、または、下部フレーム８に載置される態様であってもよく、新たに上下方向に延びる縦杆部材等を用いて支持される態様であってもよく、その支持態様が限定されるものではない。
【００６９】
また、カバー部材は、一枚の金属板を折曲げて前後に対向する一対の側板と、一対の側板を前後方向に連結する背板と、からコ字状に形成されるものとして説明したが、これに限らず、別体に形成される一対の側板と背板とを連結することによりコ字状に形成されていてもよい。また、カバー部材は、１枚の側板と背板からＬ字状に形成されていてもよいし、一枚の背板のみから形成されていてもよい。また、カバー部材は、背板を除いた一対の側板、または一枚の側板のみから形成されていてもよい。さらに、側部閉塞装置２は、カバー部材を有していなくてもよく、これらの場合、ベース杆２３が縦フレーム７Ａに直接固定されていてもよい。
【００７０】
また、被覆部材とカバー部材とは、別体である態様として説明したが、これに限らず、一体に形成されていてもよく、前後方向中央部分に沿って前後に二分割されて形成されたものが、本体部材２１と同様にボルトを用いて一体に組付けられたものであってもよく、限定されるものではない。
【００７１】
また、延設板７３は、芯部材７１Ａに溶接固定されている態様であるとして説明したが、これに限らず、ベース杆２３に固定されることで、間接的に縦フレーム７Ａに支持される態様であってもよい。
【００７２】
また、ガラスパネル４，４が前後に２枚設けられる間仕切パネル１について説明したが、これに限らず、間仕切パネルは、ガラスパネルが１枚または３枚以上の複数設けられるものであってもよい。
【００７３】
また、パネル部材は、ガラスパネル４，４である態様として説明したが、これに限らず、木板や不透明に着色された樹脂製の板等、不透明のものが適宜使用されてもよい。また、各ガラスパネルの左右方向の寸法は適宜変更されてもよく、その構成が限定されるものではない。
【００７４】
また、側部進退機構２５は、時計回りまたは反時計回りにハンドルを介して９０度回動させる態様であるとして説明したが、これに限らず、他の手動態様やアクチュエータ等の電動態様等、側部閉塞部材２０を進退移動可能であればよく、その構成が限定されるものではない。
【００７５】
また、間仕切パネルは、一対の吊支部材９，９により上端が吊支され天井Ｒに設けられるレール３に沿って移動可能なものとして説明したが、これに限らず、床Ｆに設けられる誘導路に沿って移動可能なものであってもよい。
【符号の説明】
【００７６】
１                    間仕切パネル
１Ａ〜２０１Ａ        最後尾の間仕切パネル（複数の間仕切パネルの少なくとも一つ）
２                    側部閉塞装置（側部閉塞ユニット）
３                    レール（誘導路）
４，１０４            ガラスパネル（パネル部材）
７                    縦フレーム（パネル支持体）
７Ａ                  縦フレーム（一方のパネル支持体）
９                    吊支部材
１０                  移動間仕切装置
２０                  側部閉塞部材
２５                  側部進退機構
７２                  カバー部材
７２ａ                背板
７２ｂ，７２ｂ’      側板
１７２                カバー部材
１７２ａ              背板
１７２ｂ，１７２ｂ’  側板
Ｆ                    床
Ｒ                    天井
Ｓ                    移動規制端部
Ｗ，Ｗ’              側壁
【図１】
2019214854.tif 000003
【図２】
2019214854.tif 000004
【図３】
2019214854.tif 000005
【図４】
2019214854.tif 000006
【図５】
2019214854.tif 000007
【図６】
2019214854.tif 000008
【図７】
2019214854.tif 000009
【図８】
2019214854.tif 000010
【図９】
2019214854.tif 000011
【図１０】
2019214854.tif 000012
【図１１】
2019214854.tif 000013
【図１２】
2019214854.tif 000014